(57)【要約】【課題】電子装置（移動体通信端末装置）に外部接続電子機器（外部アンテナ装置）が接続して用いられるようなシステムにおける、両者の接続が適正であるか否かを判定するための構成を簡素化する。【解決手段】、移動体通信端末装置１００の接続検出回路１７０から外部接続端子１６０を通して外部アンテナ装置２００の判定用信号検知・返信部２３０に第一の判定用信号を送り込むと、第一の判定用信号に対し上記接続の適正さに対応した態様の信号変換が施され第二の判定用信号が形成される。第二の判定用信号が移動体通信端末装置１００に返信され、接続検出回路１７０で、この第二の判定用信号が先に送出した第一の判定用信号に対し当該接続が適正であることを意味する態様の信号変換が行われたもの否かによって上記適合性を判定する。【選択図】      図１
2009290773.tif 000002
【特許請求の範囲】
【請求項１】
外部接続電子機器を接続するための外部接続端子と、切換え制御信号に応答して所定の内部回路の系統と前記外部接続端子に接続された外部接続電子機器の系統とを選択的に切り換えて所定の共通回路側に接続する切換えスイッチと、前記切換えスイッチに供給する前記切換え制御信号を生成する切換え制御信号生成手段とを備えた電子装置であって、
前記切換え制御信号生成手段は、
第一の判定用信号を前記外部接続端子を通して当該外部接続電子機器に送信する第一の判定用信号送出手段と、
前記第一の判定用信号供給手段から送信された当該第一の判定用信号に対し、当該外部接続電子機器に設けられた判定用信号変換手段で所定の信号変換が施されて形成され前記外部接続端子を通して返信される第二の判定用信号を受信する第二の判定用信号受信手段と、
前記第二の判定用信号受信手段で受信された当該第二の判定用信号が当該第一の判定用信号に対して前記判定用信号変換手段で正規の信号変換が施されて形成された形態を成しているか否かに基づいて当該外部接続電子機器の接続が所定の要件を充足する正常な接続であるか否かを判定し、該判定結果に応じた出力として前記切換え制御信号を生成する接続判定手段と、を備えていることを特徴とする電子装置。
【請求項２】
前記接続判定手段は、当該外部接続電子機器が当該電子装置に適合性を有する所定の外部アンテナまたは試験用プローブとしての要件を充足するか否かの接続判定をすることを特徴とする請求項１に記載の電子装置。
【請求項３】
前記第一の判定用信号送出手段は、前記第一の判定用信号として低周波信号または直流信号の何れかを送信することを特徴とする請求項１または２の何れか一項に記載の電子装置。
【請求項４】
前記第一の判定用信号送出手段は、所定の判定用原信号に対して所定の暗号化を施して生成した信号を前記第一の判定用信号として送信することを特徴とする請求項１または２の何れか一項に記載の電子装置。
【請求項５】
自装置の外部接続端子に接続された外部の電子機器の系統と所定の内部回路の系統とを所定の切換え制御信号に応答して選択的に切り換えて所定の共通回路側に接続する切換えスイッチを備えた電子装置における前記外部接続端子に接続される外部接続電子機器であって、
当該電子装置から前記外部接続端子を通して送信される第一の判定用信号を受信する第一の判定用信号受信手段と、
前記第一の判定用信号受信手段で受信した第一の判定用信号に対し当該判定のための所定の信号変換を施して第二の判定用信号を形成する判定用信号変換手段と、
前記判定用信号変換手段で形成された第二の判定用信号を前記外部接続端子を通して当該電子装置に返信する第二の判定用信号送信手段と、
を備えていることを特徴とする外部接続電子機器。
【請求項６】
所定の外部アンテナまたは試験用プローブとして機能する主機能部を更に備えていることを特徴とする請求項５に記載の外部接続電子機器。
【請求項７】
前記判定用信号変換手段は、前記第一の判定用信号受信手段で受信した低周波信号または直流信号の何れかである第一の判定用信号に対して所定の信号変換を施して第二の判定用信号を形成することを特徴とする請求項５または６の何れか一項に記載の外部接続電子機器。
【請求項８】
前記判定用信号変換手段は、前記第一の判定用信号受信手段で受信した第一の判定用信号が所定の判定用原信号に対して暗号化を施して生成された信号であるときに、当該暗号化に対応する復号化を施して得た判定用原信号に対して所定の信号変換を施し、該信号変換を施して得た信号に対して再暗号化を施して前記第二の判定用信号を生成することを特徴とする請求項５または６の何れか一項に記載の外部接続電子機器。
【請求項９】
電子装置に外部接続電子機器が接続された際に、前記外部接続電子機器の接続が所定の要件を充足する正常な接続であるか否かの判定結果に応じて当該外部接続電子機器の系統への系統切換えを行う系統切換え方法であって、
該接続の判定に適用する第一の判定用信号を前記電子装置から前記外部接続電子機器に送信する第一の判定用信号送信ステップと、
前記第一の判定用信号送信ステップで送信された当該第一の判定用信号に対し、前記外部接続電子機器側で所定の信号変換が施されて形成された第二の判定用信号を前記電子装置側で受信する第二の判定用信号受信ステップと、
前記第二の判定用信号受信ステップで受信された当該第二の判定用信号が当該第一の判定用信号に対して正規の信号変換が施されて形成された形態を成しているか否かに基づいて当該接続が所定の要件を充足する正常な接続であるか否かを判定する判定ステップと、
前記判定ステップにおける判定結果に応じて当該外部接続電子機器の系統への系統切換えを行う系統切換えステップと、
を含んでいることを特徴とする系統切換え方法。
【請求項１０】
電子装置に外部接続電子機器が接続された際に、前記外部接続電子機器の接続が所定の要件を充足する正常な接続であるか否かを判定することを可能にするための判定用信号変換方法であって、
当該電子装置から送信される第一の判定用信号を受信する第一の判定用信号受信ステップと、
前記第一の判定用信号受信ステップで受信した第一の判定用信号に対し当該判定のための所定の信号変換を施して第二の判定用信号を形成する判定用信号変換ステップと、
前記判定用信号変換ステップで形成された第二の判定用信号を当該電子装置に送信する第二の判定用信号送信ステップと、
を含んでいることを特徴とする判定用信号変換方法。
【発明の詳細な説明】
【技術分野】
【０００１】
本発明は、電子装置、外部接続電子機器、系統切換え方法、および、判定用信号変換方法に関し、特に、電子装置に外部接続電子機器が接続して用いられる場合に、この接続が所定の要件を充足する正規の接続であるか否かを簡易な構成で確実に判定して外部接続電子機器への系統切換えが行えることを可能にした電子装置、外部接続電子機器、系統切換え方法、および、判定用信号変換方法に関する。
【背景技術】
【０００２】
携帯電話機等の移動通信端末装置では、アンテナ性能の改善を目的として外部アンテナを接続して用いることがある。
また、移動通信端末装置の障害発生時に簡易検査を行うために、或いは、移動通信端末装置のアドレスデータや画像データをバックアップするために、IMT2000用ARIB-Aコネクタ等が接続端子として用いられることがある。
【０００３】
このコネクタでは、一つの端子がＧＮＤ（接地）に割り当てられており、ＧＮＤへの導通を検知することによってこのコネクタの接続を検知し、当該コネクタ側へと通信用信号経路を切換えるように構成されている。
実装上の視点からは、IMT2000用ARIB-Aコネクタは非常に大型であるため、小型であることを旨とする移動体通信端末装置に実装するに際しては総体的に大きな設置面積を占有することとなり、小型化が検討されている。
【０００４】
このような状況にあって、USB Implementers Forum(USB-IF)によって最近仕様策定が完了した携帯電話機など小型機器向けの小型USBコネクタ規格である「Micro-USB」などが小型データ通信用コネクタとして有望視されている。
しかしながら、「Micro-USB」などのコネクタは、ＲＦ（無線周波数）帯域の信号には適合せず、外部アンテナ装置の接続用や、この帯域に関する試験用としは別途の同軸コネクタを設置する必要がある。
【０００５】
他方、外部アンテナ装置の接続に関しては、使用することが認証されていないアンテナ装置が用いられる虞があるため、このような外部アンテナ装置が送受信装置に接続されたときには通信を禁止して他の高周波機器に妨害を与えないようにすると共に、法規上の問題の発生を予防しようとする技術も提案されるに到っている（例えば特許文献１等参照）。
【０００６】
特許文献１所載の技術では、送受信装置本体とこれに接続して用いられるアンテナ装置との組み合わせが正規のものとして認証され得るものである場合には、当初の接続時に、送受信装置本体側のメモリに格納された特定の認証用データを一または複数のアンテナ装置側のメモリに書き込んでおき、これ以降、送受信装置本体と当該正規のアンテナ装置とが接続されたときには、アンテナ装置側のメモリに書き込んである認証用データを読み出して、送受信装置本体側のメモリに保持してある認証用データと照合することによって、当該認証が成立する旨を判定するというものである。
また一方、複数のアンテナ及び複数の内部回路を備える携帯通信端末装置において、試験、調整を速やかに実施でき、且つ、端末自体の小型化、軽量化を図ろうとする技術も提案されている（例えば特許文献２等参照）。
【０００７】
特許文献２所載の技術では、通信時には、ＣＰＵによって、複数のアンテナのいずれか一方とこれに対応する何れか一の内部回路とを選択的に切換えて接続させるようにスイッチング素子を制御し、調整時には、これに相応した外部端子との接続状態が確立するようにスイッチング素子を切換え制御することにより、製造工程における携帯通信端末装置の試験、調整時には、外部端子に端末試験機のテスト用端子（プラグ）を挿入する作業のみで端末の試験、調整を実施させることが可能になるとされている。
【０００８】
また、差込口が１つとなるように構成することにより、テスト端子の挿し間違い等の人為的ミスを排除できるため、試験時における作業効率を向上させることができ、更に、外部端子を１つにすることができるため、携帯通信端末装置としての内部構成及び外部構成を簡略化することができ、コスト低減、小型化及び軽量化を図ることができるとされている。
【０００９】
また、アンテナ系の回路の切換えに関しては、充電器に携帯電話機の内蔵アンテナとは別回路をなす外部アンテナを備え、携帯電話機を充電器に固定した際、携帯電話機に備られている切換えスイッチにより外部アンテナが接続され、内蔵アンテナは切り離されように構成するといった提案もある（例えば特許文献３等参照）。
特許文献３には、更に、携帯電話機が充電器に固定された際に正常結合を通知する結合信号を送受するようにして、アンテナの不完全な状態で着信を受けるという事態を回避することができる趣旨の開示もある。
【特許文献１】特開２００４−２０８２６０号公報（要約、段落００２４〜段落０２７、図３等）
【特許文献２】特開２００２−２８１１３２号公報（要約、段落０００５〜段落００９、図１等）
【特許文献３】特開２００１−１６８９８２号公報（要約、段落００３３〜段落０３４、図４等）
【発明の開示】
【発明が解決しようとする課題】
【００１０】
上掲の特許文献１に開示の技術では、送受信装置本体のみならずアンテナ装置側にもメモリを有することが前提とされ、従って、最低限でも使用に係る認証に供するためのデジタルデータの授受やメモリへのアクセスを行うためのマイクロプロセッサを主体に構成されるコントローラや各部の動作の歩調をとるためのクロックの発生源等々を必要とし、複雑な構成となることが避けられない。
【００１１】
特に、アンテナ装置側について見れば、本来の主機能部たるアンテナ素子自体の簡素な構成からすれば、謂わば補助的な機能部であるはずの認証のための構成の方が格段に複雑な構成とならざるを得ず、総体的視座からは極めて効率の悪いシステムになってしまうといった問題がある。
また特許文献２に開示の技術では、外部機器や試験用プラグの接続が行われたときには、該接続に応じた適切な回路の切換えがなされるものの、当該接続自体が所定の要件を充足する正規の接続であるか否かを判定した上で回路の切換えを行うことができるというものではない。
【００１２】
更にまた、特許文献３に開示の技術では、携帯電話機が外部アンテナを持った充電器に固定された際に、その外部アンテナに関する正常結合を検知するように構成されたものではあるが、この提案における正常結合とは、電気的な接触が確立したか否かを結合信号を送受することによって確認するものであって、当該外部接続電子機器（外部アンテナ）の接続自体が所定の要件を充足する正規の接続であるか否かを判定できるというものではない。
【００１３】
また一方、外部アンテナの接続用に、或いは、無線性能の試験用に、同軸の小型コネクタを使用した場合には、IMT2000用ARIB-Aコネクタのように複数の端子を備えていないために、コネクタが接続されたこと自体を検知することができない。
このため、外部アンテナ装置のコネクタが接続されたことを検知して、その外部アンテナ装置側へと自動的に通信系の回路切換えるといった構成を採ることができない。
【００１４】
以上は、送受信装置本体と外部アンテナ装置との組み合わせにおける接続の検知といった、一つの限定的な事例に関する具体的な問題であるが、このような問題は、より一般的に、電子装置に外部接続電子機器が接続して用いられるようなシステムにおける、両者の技術的或いは（電波法等の）法的な所要の要件を充足する接続であるか否かを判定して、当該外部接続電子機器側に自動的に回路を切換えようとする場合についても生じる技術課題でもある。
【００１５】
本発明は、上述のような状況に鑑みてなされたものであり、電子装置に外部接続電子機器が接続されるようなシステムにおける、両者の接続に関して、技術的或いは法的な所要の要件を充足するような接続であるか否かを判定し、この判定結果が肯定的であるときに、外部接続電子機器側の系統に自動的に回路を切換える該判定と切換えとを簡素な構成で確実に行うことができるようにした電子装置、外部接続電子機器、系統切換え方法、および、判定用信号変換方法を提供することを目的とする。
【課題を解決するための手段】
【００１６】
上記課題を解決するべく、本願では次に列記するような技術を提案する。
本発明の請求項１の電子装置は：
外部接続電子機器を接続するための外部接続端子と、切換え制御信号に応答して所定の内部回路の系統と前記外部接続端子に接続された外部接続電子機器の系統とを選択的に切り換えて所定の共通回路側に接続する切換えスイッチと、前記切換えスイッチに供給する前記切換え制御信号を生成する切換え制御信号生成手段とを備えた電子装置であって、
前記切換え制御信号生成手段は、
第一の判定用信号を前記外部接続端子を通して当該外部接続電子機器に送信する第一の判定用信号送出手段と、
前記第一の判定用信号供給手段から送信された当該第一の判定用信号に対し、当該外部接続電子機器に設けられた判定用信号変換手段で所定の信号変換が施されて形成され前記外部接続端子を通して返信される第二の判定用信号を受信する第二の判定用信号受信手段と、
前記第二の判定用信号受信手段で受信された当該第二の判定用信号が当該第一の判定用信号に対して前記判定用信号変換手段で正規の信号変換が施されて形成された形態を成しているか否かに基づいて当該外部接続電子機器の接続が所定の要件を充足する正常な接続であるか否かを判定し、該判定結果に応じた出力として前記切換え制御信号を生成する接続判定手段と、を備えていることを特徴とする。
【００１７】
上記請求項１の電子装置では、外部接続電子機器を接続するための外部接続端子と、切換え制御信号に応答して所定の内部回路の系統と前記外部接続端子に接続された外部接続電子機器の系統とを選択的に切り換えて所定の共通回路側に接続する切換えスイッチと、を有し、制御信号生成手段が生成した前記切換え制御信号を前記切換えスイッチに供給して前記切換えスイッチにおける当該切換えが行われる。
判定用信号発生器が該判定に適用する第一の判定用信号を発生する。この第一の判定用信号が、第一の判定用信号送出手段により、外部接続端子を通して、当該外部接続電子機器に送出される。
【００１８】
前記切換え制御信号生成手段は、第一の判定用信号送出手段と、第二の判定用信号受信手段と、接続判定手段と、を備えている。
前記第一の判定用信号送出手段によって第一の判定用信号を前記外部接続端子を通して当該外部接続電子機器に送信する。
上述のように送信された第一の判定用信号は、当該外部接続電子機器側に設けられた判定用信号変換手段で所定の信号変換が施されて第二の判定用信号が形成され、該形成された第二の判定用信号が前記外部接続端子を通して返信される。
該返信された第二の判定用信号が第二の判定用信号受信手段で受信される。
【００１９】
前記接続判定手段は、前記第二の判定用信号受信手段で受信された当該第二の判定用信号が当該第一の判定用信号に対して前記判定用信号変換手段で正規の信号変換が施されて形成された形態を成しているか否かに基づいて当該外部接続電子機器の接続が所定の要件を充足する正常な接続であるか否かを判定し、該判定結果に応じた出力として前記切換え制御信号を生成する。
このようにして接続判定手段で生成された制御信号が前記切換えスイッチに供給され、当該正常な接続である旨が判定されているときには、前記外部接続端子に接続された外部接続電子機器の系統へと切換えが行われる。
【００２０】
本発明の請求項２の電子装置は：
上記請求項１の電子装置において特に、前記接続判定手段は、当該外部接続電子機器が当該電子装置に適合性を有する所定の外部アンテナまたは試験用プローブとしての要件を充足するか否かの接続判定をすることを特徴とする。
上記請求項２の電子装置では、当該外部接続電子機器が当該電子装置に対する所定の外部アンテナまたは試験用プローブである場合に、これら外部接続電子機器の自装置への接続が所定の要件を充足する正常な接続であるか否かの接続判定を行う。
【００２１】
本発明の請求項３の電子装置は：
上記請求項１または２の何れか一の電子装置において特に、前記判定用信号発生器は、前記第一の判定用信号として低周波信号または直流信号の何れかを発生することを特徴とする。
上記請求項３の電子装置では、前記第一の判定用信号として低周波信号または直流信号の何れかを発生する。
このため対応する外部接続電子機器側においても、これらの第一の判定用信号に対して簡単な構成の回路によって変換を施して第二の判定用信号を形成することが可能である。
【００２２】
本発明の請求項４の電子装置は：
上記請求項１または２の電子装置において特に、前記第一の判定用信号送出手段は、所定の判定用原信号に対して所定の暗号化を施して生成した信号を前記第一の判定用信号として送信することを特徴とする。
上記請求項４の電子装置では、外部接続端子から外部に送出される第一の判定用信号が暗号化を施されたものとなるため、セキュリティの点で優れる。
【００２３】
本発明の請求項５の外部接続電子機器は：
自装置の外部接続端子に接続された外部の電子機器の系統と所定の内部回路の系統とを所定の切換え制御信号に応答して選択的に切り換えて所定の共通回路側に接続する切換えスイッチを備えた電子装置における前記外部接続端子に接続される外部接続電子機器であって、
当該電子装置から前記外部接続端子を通して送信される第一の判定用信号を受信する第一の判定用信号受信手段と、
前記第一の判定用信号受信手段で受信した第一の判定用信号に対し当該判定のための所定の信号変換を施して第二の判定用信号を形成する判定用信号変換手段と、
前記判定用信号変換手段で形成された第二の判定用信号を前記外部接続端子を通して当該電子装置に返信する第二の判定用信号送信手段と、
を備えていることを特徴とする。
【００２４】
上記請求項５の外部接続電子機器は、自装置の外部接続端子に接続された外部の電子機器の系統と所定の内部回路の系統とを所定の切換え制御信号に応答して選択的に切り換えて所定の共通回路側に接続する切換えスイッチを備えた電子装置における前記外部接続端子に接続される。
このような外部接続電子機器において、第一の判定用信号受信手段は、当該電子装置の前記外部接続端子を通して送出される第一の判定用信号を受信する。
【００２５】
該受信された第一の判定用信号に対し、判定用信号変換手段が、当該判定のための所定の信号変換を施して第二の判定用信号を形成する。
該形成された第二の判定用信号は、第二の判定用信号送出手段によって、前記外部接続端子を通して当該電子装置に供給される。
上述のようにして供給された第二の判定用信号を受けた電子装置側では、該受けた第二の判定用信号が当該第一の判定用信号に対して正規の信号変換が施されて形成された形態を成しているか否かに基づいて当該外部接続電子機器が前記適合性を有するか否かの判定をすることができるようになる。
【００２６】
本発明の請求項６の外部接続電子機器は：
上記請求項５に記載の外部接続電子機器において特に、所定の外部アンテナまたは試験用プローブとして機能する主機能部を更に備えていることを特徴とする。
上記請求項６の外部接続電子機器では、対応する電子装置に接続されたときにその接続が所定の要件を充足する正常な接続であると判定されたときには、当該主機能部によって、その電子装置の外部アンテナまたは試験用プローブとして機能する。
本発明の請求項７の外部接続電子機器は：
上記請求項５または６の何れか一の外部接続電子機器において特に、前記判定用信号変換手段は、前記第一の判定用信号受信手段で受信した低周波信号または直流信号の何れかである第一の判定用信号に対して所定の信号変換を施して第二の判定用信号を形成することを特徴とする。
【００２７】
上記請求項７の外部接続電子機器では、前記判定用信号変換手段は、前記第一の判定用信号受信手段で受信した低周波信号または直流信号の何れかである第一の判定用信号に対して所定の信号変換を施して第二の判定用信号を形成する。
本発明の請求項８の接続制御装置は：
上記請求項５または６の何れか一の外部接続電子機器において特に、前記判定用信号変換手段は、前記第一の判定用信号受信手段で受信した第一の判定用信号が所定の判定用原信号に対して暗号化を施して生成された信号であるときに、当該暗号化に対応する復号化を施して得た判定用原信号に対して所定の再暗号化を施して前記第二の判定用信号を生成することを特徴とする。
【００２８】
上記請求項８の外部接続電子機器では、前記電子装置側で所定の判定用原信号に対して暗号化を施して生成された第一の判定用信号を前記第一の判定用信号受信手段で受信し、該受信した第一の判定用信号に対し、判定用信号変換手段によって、当該暗号化に対応する復号化を施して判定用原信号を得て、更に、この判定用原信号に対して所定の再暗号化を施して前記第二の判定用信号を生成する。
当該電子装置および外部接続電子機器から外部に送出される信号は何れも暗号化が施されたものとなるため、セキュリティの点で優れる。
【００２９】
本発明の請求項９の外部接続電子機器への系統切換え方法は：
電子装置に外部接続電子機器が接続された際に、前記外部接続電子機器の接続が所定の要件を充足する正常な接続であるか否かの判定結果に応じて当該外部接続電子機器の系統への系統切換えを行う系統切換え方法であって、
該接続の判定に適用する第一の判定用信号を前記電子装置から前記外部接続電子機器に送信する第一の判定用信号送信ステップと、
前記第一の判定用信号送信ステップで送信された当該第一の判定用信号に対し、前記外部接続電子機器側で所定の信号変換が施されて形成された第二の判定用信号を前記電子装置側で受信する第二の判定用信号受信ステップと、
前記第二の判定用信号受信ステップで受信された当該第二の判定用信号が当該第一の判定用信号に対して正規の信号変換が施されて形成された形態を成しているか否かに基づいて当該接続が所定の要件を充足する正常な接続であるか否かを判定する判定ステップと、
前記判定ステップにおける判定結果に応じて当該外部接続電子機器の系統への系統切換えを行う系統切換えステップと、
を含んでいる。
【００３０】
上記請求項９の系統切換え方法では、当該外部接続電子機器が接続されたときに、電子装置側で、前記第二の判定用信号受信ステップで受信された当該第二の判定用信号が当該第一の判定用信号に対して正規の信号変換が施されて形成された形態を成しているか否かに基づいて簡単且つ確実にその適合性を判定し（判定ステップ）、この判定結果に応じて当該外部接続電子機器の系統への系統切換えを行うことができる。
【００３１】
本発明の請求項１０の判定用信号変換方法は：
電子装置に外部接続電子機器が接続された際に、前記外部接続電子機器の接続が所定の要件を充足する正常な接続であるか否かを判定することを可能にするための判定用信号変換方法であって、
当該電子装置から送信される第一の判定用信号を受信する第一の判定用信号受信ステップと、
前記第一の判定用信号受信ステップで受信した第一の判定用信号に対し当該判定のための所定の信号変換を施して第二の判定用信号を形成する判定用信号変換ステップと、
前記判定用信号変換ステップで形成された第二の判定用信号を当該電子装置に送信する第二の判定用信号送信ステップと、
を含んでいることを特徴とする。
【００３２】
上記請求項１０の判定用信号変換方法では、第一の判定用信号受信ステップで受信した第一の判定用信号に対し当該判定のための所定の信号変換を施して第二の判定用信号を形成し、この第二の判定用信号が、電子装置側における当該外部接続電子機器との接続が所定の要件を充足する正常な接続であるか否かの判定に供されるため、簡単且つ確実にその接続に関する当該判定をすることができる。
【発明の効果】
【００３３】
本発明によれば、電子装置に外部接続電子機器が接続されるようなシステムにおける、両者の接続に関して、技術的或いは法的な所要の要件を充足するような接続であるか否かを判定し、この判定結果が肯定的であるときに、外部接続電子機器側の系統に自動的に回路を切換える該判定と切換えとを簡素な構成で確実に行うことができるようにした電子装置、外部接続電子機器、系統切換え方法、および、判定用信号変換方法が実現される。
【発明を実施するための最良の形態】
【００３４】
以下、図面を参照して本発明の実施の形態について詳述することにより本発明を明らかにする。
尚、以下に参照する各図において、本発明に関係する要部は適宜誇張して表記され、その他の部分については、適宜簡略化され乃至は省略されている。
（本発明の一つの実施の形態としての電子装置および外部接続電子機器）
図１は、本発明の実施の形態としての電子装置および外部接続電子機器を表すブロック図である。
【００３５】
図１の実施の形態では、電子装置は移動通信端末装置１００であり、外部接続電子機器は外部アンテナ装置２００である。
移動通信端末装置１００には、通常、この移動通信端末装置１００の筐体１０１に内蔵するようにして主アンテナ１１０が設けられている。
この主アンテナ１１０は、外部アンテナ装置２００を適用する場合に、その外部アンテナ装置２００が有効に機能する系統に回路を切り換える手段としてのアンテナスイッチ１２０を介して送受共用器１３０に接続されている。
【００３６】
送受共用器１３０はデュプレクサあるいは送受切替スイッチと通称される公知の回路であり、そのアンテナポート１３１がアンテナスイッチ１２０側に接続され、送信ポート１３２が送信系回路１４０に接続され、受信ポート１３３が受信系回路１５０に接続されている。
移動通信端末装置１００の筐体１０１には、外部接続電子機器（外部アンテナ装置）２００を接続する外部接続端子１６０が設けられている。
【００３７】
また、この移動通信端末装置１００には、外部接続端子１６０への外部接続電子機器の接続の有無および適否を検出する接続検出回路１７０が設けられている。この接続検出回路１７０については、後に図２を参照して詳述するように、本発明の電子装置としての特徴に係る枢要な機能部が設けられている。
上述のアンテナスイッチ１２０は、送受共用器１３０のアンテナポート１３１に接続された共通極端子１２１に対し、主アンテナ１１０側の系統に接続された第一の端子１２２と外部接続電子機器側の系統に接続された第二の端子１２３とが選択的に接続されるように構成されている。
この第二の端子１２３と上述の外部接続端子１６０との間に分波合成回路１８０が介挿されている。
【００３８】
一方、アンテナ素子２１０を有する外部アンテナ装置２００には、移動通信端末装置１００の外部接続端子１６０に対応する接続端子２２０が設けられている。この接続端子２２０の配置は、図示されない接続コードの端部等に設けられる態様が採られ得る。
アンテナ素子２１０と接続端子２２０とを結ぶ信号経路中には、後に他図を参照して詳述する判定用信号検知・返信部２３０への分岐点に分波合成回路２４０が介挿されている。
【００３９】
図２は、図１中の移動通信端末装置１００における接続検出回路１７０の詳細を表す機能ブロック図である。
既述の通り、本電子装置（移動通信端末装置）１００は、その外部接続端子１６０に外部接続電子機器（外部アンテナ装置）２００が接続されたときに該接続が所定の要件を充足する正常な接続であるか否かを判定し、該判定結果に応じて外部接続電子機器（外部アンテナ装置）２００側への系統の切換えを行うが、図示の接続検出回路１７０にはこのような判定および切換えを行うための枢要な各機能部が備られている。
【００４０】
即ち、接続検出回路１７０には、上述の判定に適用する第一の判定用信号を発生する判定用信号発生器１７１、および、外部接続端子１６０に接続された外部接続電子機器（外部アンテナ装置）２００に判定用信号発生器１７１から発生した当該第一の判定用信号を送出する第一の判定用信号送出手段１７２を含む信号送信部１７３が設けられている。
【００４１】
接続検出回路１７０には、更に、第一の判定用信号送出手段１７２から送出された当該第一の判定用信号に対し、外部接続電子機器（外部アンテナ装置）２００に設けられた後述する判定用信号変換手段で所定の信号変換が施されて形成された第二の判定用信号を受信する第二の判定用信号受信手段としての受信部１７４と、受信部１７４で受信された当該第二の判定用信号が当該第一の判定用信号に対して前記判定用信号変換手段で正規の信号変換が施されて形成された形態を成しているか否かに基づいて当該外部接続電子機器との接続が所定の要件を充足する正常な接続であるか否かを判定し、該判定結果に応じた出力としてアンテナスイッチ１２０に対する切換え制御信号を生成する接続判定手段としての信号判定部１７５が設けられている。
【００４２】
尚、判定用信号発生器１７１が発する第一の判定用信号を外部接続端子１６０を通して、この外部接続端子１６０に接続された外部接続電子機器（外部アンテナ装置）２００に送出するに際しては、上述の信号送信部１７３の第一の判定用信号送出手段１７２によって、判定用信号発生器１７１の出力である第一の判定用信号が分波合成回路１８０に導かれ、この分波合成回路１８０から外部接続端子１６０に向けての信号伝送路を通して当該第一の判定用信号の送出が行われるようになる。
【００４３】
即ち、判定用信号発生器１７１の出力端から分波合成回路１８０を経て外部接続端子１６０に到る信号伝送路乃至そのうちの部分を以って、外部接続端子１６０に接続された外部接続電子機器２００に外部接続端子１６０を通して判定用信号発生器１７１から発生した当該第一の判定用信号を送出する第一の判定用信号送出手段を構成しているものと観念することができる。
【００４４】
図３は、図１中の外部アンテナ装置２００における判定用信号検知・返信部２３０の詳細を表す機能ブロック図である。
図３の判定用信号検知・返信部２３０には、電子装置（移動通信端末装置）１００側において、当該外部接続電子機器（アンテナ装置）２００との接続に関する適否を判定することを可能ならしめるための枢要な機能部が備られている。
【００４５】
即ち、この判定用信号検知・返信部２３０には、電子装置（移動通信端末装置）１００の判定用信号発生器１７１から発せられ外部接続端子１６０を通して送出される既述の第一の判定用信号を受信する第一の判定用信号受信手段としての信号受信部２３１と、信号受信部２３１で受信した第一の判定用信号に対し当該判定のための所定の信号変換を施して第二の判定用信号を形成する判定用信号変換手段としての信号変換部２３２と、信号変換部２３２で形成された第二の判定用信号を接続端子２２０および外部接続端子１６０を通して電子装置（移動通信端末装置）１００に供給するべく送出する第二の判定用信号送出手段としての信号送信部２３３とが備られている。
【００４６】
図４は、図１中の電子装置（移動通信端末装置）１００の動作の概要を表すフローチャートである。
次に、図４を参照して、電子装置（移動通信端末装置）１００の動作の概要について説明する。
先ず、周期的に接続検出回路１７０の信号送信部１７３（その第一の判定用信号送出手段１７２）から第一の判定用信号を外部接続端子１６０を通して外部アンテナ装置２００に送出する（ステップＳ４０１）。なお、第一の判定用信号は常時送信させてもよい。
【００４７】
その後、外部アンテナ装置２００側から既述の第二の判定用信号が返され受信されるのを待機し（ステップＳ４０２：Ｎｏ）、第二の判定用信号が受信されると（ステップＳ４０２：Ｙｅｓ）、この第二の判定用信号について、外部アンテナ装置２００との接続が所定の要件を充足する正常な接続であるか否かを判定する（ステップＳ４０３）。この接続の適否を判断する作用の詳細については、後に図６を併せ参照して詳述する。
【００４８】
ステップＳ４０３で外部アンテナ装置は所定の適合性を充足するものと判断されたときには（ステップＳ４０３：Ｙｅｓ）、図１における接続検出回路１７０（その信号判定部１７５）から当該接続は適切であることに対応する切換え制御信号Ｄが発せられ、この切換え制御信号Ｄによってアンテナスイッチ１２０は外部接続電子機器側（外部アンテナ装置側）の系統に接続された第二の端子１２３側への接続となるように切換えられる（ステップＳ４０４）。
【００４９】
一方、ステップＳ４０３で、外部アンテナ装置は所定の適合性を満たさないと判断されたときには（ステップＳ４０３：Ｎｏ）、その外部アンテナ装置との接続は適正で無い旨の警告表示を行い（ステップＳ４０５）、アンテナスイッチ１２０を切換えることはせず、この移動通信端末装置１００内に備えられた主アンテナ１１０側の系統に接続された第一の端子１２２への接続を維持する。
尚、ステップＳ４０５の警告表示の処理を実行することなく終了するようにしてもよい。
【００５０】
図５は、図４の電子装置（移動通信端末装置）１００の動作に対応する外部接続電子機器（外部アンテナ装置）２００の動作の概要を表すフローチャートである。
次に、図５を参照して、外部接続電子機器（外部アンテナ装置）２００の動作の概要について説明する。
移動通信端末装置１００からの第一の判定用信号が受信されるまで非作動状態が継続し（ステップＳ５０１：Ｎｏ）、第一の判定用信号が受信されると（ステップＳ５０１：Ｙｅｓ）、判定用信号検知・返信部２３０の信号変換部２３２で、この第一の判定用信号に対し所定の信号変換を施して第二の判定用信号を形成する（ステップＳ５０２）。
【００５１】
この信号変換としては、例えば、低周波の第一の判定用信号を、単純に半周期単位で抜き出したり、或いは、半周期単位で反転させる等の単純な変換処理を適用することが推奨される。しかし、上述のような単純な処理を必須とする趣旨ではない。
ステップＳ５０２で形成された第二の判定用信号は、判定用信号検知・返信部２３０の信号送信部２３３から分波合成回路２４０および接続端子２２０を通して、電子装置たる移動通信端末装置１００（その接続検出回路１７０の信号受信部１７４）に向け送出される（ステップＳ５０３）。
【００５２】
図６は、電子装置（移動通信端末装置）１００と外部接続電子機器（外部アンテナ装置）２００との間で両者の接続に係る所定の適合性の有無を判定する場合の動作を表すシーケンスチャートである。
次に、図６および既述の他図を随時参照して、本発明の電子装置（移動通信端末装置）および外部接続電子機器（外部アンテナ装置）の動作について、より詳細に説明する。
図４を参照して既述のとおり，移動体通信端末装置１００（その外部接続端子１６０）に外部アンテナ装置２００が（外部アンテナ装置２００側の接続端子２２０で）接続されると、図１の移動体通信端末装置１００の接続検出回路１７０における信号送信部１７３（図２）から第一の判定用信号が送出され、図１の外部アンテナ装置２００における判定信号検知・返信部２３０の信号受信部２３１（図３）で受信される（ステップＳ６０１）。
【００５３】
ステップＳ６０１における第一の判定用信号の送出は、移動体通信端末装置１００における接続検出回路１７０の信号送信部１７３に設けられた第一の判定用信号送出手段１７２によって、信号送信部１７３の判定用信号発生器１７１の出力である第一の判定用信号が分波合成回路１８０に導かれ、この分波合成回路１８０から信号伝送路を通して外部接続端子１６０に到り、更に外部接続端子１６０から外部アンテナ装置２００に向けて当該第一の判定用信号が送出されるようにして行われる。
【００５４】
この場合、第一の判定用信号は、例えば、低周波の信号であり、通信における本来の伝送対象たる主情報を担う信号に重畳されて伝送されるが、主情報を担う信号とは周波数を異にするため、分波合成回路による分離は容易である。尚、第一の判定用信号としては、主情報を担う信号と確実に分離可能な限りで高周波信号を適用することも可能である。
外部アンテナ装置２００における判定信号検知・返信部２３０の信号受信部２３１は、ステップＳ６０１で受信した第一の判定用信号を、判定信号検知・返信部２３０内の信号変換部２３２に移送する（ステップＳ６０２）。
【００５５】
信号変換部２３２は、ステップＳ６０２で移送された第一の判定用信号を受け、該信号に対し所定の信号変換を施して第二の判定用信号を形成する（ステップＳ６０３）。
この信号変換における変換の態様は、移動体通信端末装置１００と外部アンテナ装置２００との接続が、例えば、対応する導体間の適正な導通が確立し、且つ、両者が仕様上の適合性を満たすと共に電波法上からも適法であるといった所定の要件を充足するものであるか否かを、移動体通信端末装置１００側において判定可能にするものである。
【００５６】
既述のように、この信号変換としては、例えば、低周波の第一の判定用信号を、単純に半周期単位で抜き出したり、或いは、半周期単位で反転させる等の単純な変換処理を適用することが推奨される。しかし、上述のような単純な処理を必須とする趣旨ではない。
ステップＳ６０３で形成された第二の判定用信号は、判定信号検知・返信部２３０内の信号送信部２３３に移送される（ステップＳ６０４）。
【００５７】
ステップＳ６０４で信号送信部２３３に移送された第二の判定用信号は、判定信号検知・返信部２３０→分波合成回路２４０→接続端子２２０→移動体通信端末装置１００側の外部接続端子１６０→分波合成回路１８０→接続検出回路１７０内の信号受信部１７４の経路で、信号受信部１７４に伝送される（ステップＳ６０５）。
ステップＳ６０５で第二の判定用信号を受けた信号受信部１７４は、この第二の判定用信号を接続検出回路１７０内の信号判定部１７５に移送する（ステップＳ６０６）。
【００５８】
ステップＳ６０６で第二の判定用信号を受けた信号判定部１７５は、この第二の判定用判定用が、ステップＳ６０１で移動体通信端末装置１００（その信号送信部１７３）から送出された第一の判定用信号に対して、外部アンテナ装置２００との接続が所定の要件を充足する旨を表す形態での信号変換を受けたものであるか否かに基づいて当該接続は適正であるか否かの判定を実行する（ステップＳ６０７）。
【００５９】
ステップＳ６０７において外部アンテナ装置２００との接続が適正であると判定されたときには（ステップＳ６０７：Ｙｅｓ）、信号判定部１７５は、適正である旨の検出信号Ｄを発して、該検出信号Ｄをアンテナスイッチ１２０に供給する。
この検出信号Ｄは、上述したアンテナスイッチ１２０の切換えを制御する切換え制御信号でもあり、この検出信号Ｄによって、アンテナスイッチ１２０は、外部アンテナ装置２００の系統を用いる状態に切換えられる。
【００６０】
即ち、送受共用器１３０のアンテナポート１３１に接続された共通極端子１２１に対し、常時は主アンテナ１１０側の系統に接続された第一の端子１２２側への接続が選択されていたところ、外部接続電子機器（外部アンテナ装置）２００が接続されて上述のようにその接続が適正であると認識されたときには、外部アンテナ装置側へ接続されるようにアンテナスイッチ１２０における切換えが行われる。
【００６１】
一方、ステップＳ６０７で、外部アンテナ装置２００との接続は適正でないと判断されたときには（ステップＳ６０７：Ｎｏ）、上述のようなアンテナスイッチ１２０の切換えは行われず、移動体通信端末装置１００の表示部等に外部アンテナ装置との接続は適正でない旨の警告表示が行われる（ステップＳ６０９）。
尚、ステップＳ６０９の警告表示の処理は行わないようにしてもよい。
【００６２】
以上、図１乃至図６を参照して説明したところから明確に理解されるとおり、本発明では、電子装置（移動体通信端末装置）に対する外部接続電子機器（外部アンテナ装置）の接続の適否は、当該外部接続電子機器側に記憶保持されている判定用のデータを読み出して、該読み出したデータに依拠して判定されるのではなく、電子装置（移動体通信端末装置）側から送り込んだ所定の判定用信号（第一の判定用信号）に対して当該外部接続電子機器において如何様な変換が施されるかに依拠して実行される。
【００６３】
従って、外部接続電子機器（外部アンテナ装置）にはその接続の適正さの当否乃至正当性を表すデータは保有されないため、仮にもこのような接続の適正さの当否乃至正当性を表すデータを読み出して解析しようと試みても、本来的にこの種のデータは存在せず、解析され得ないため、不適切な接続による外部接続電子機器の使用を効果的に予防することができる。
また、適合性乃至正当性を表すデータを常時保有するためのメモリや、このメモリに対して書き込みや読み出しを行うための回路（多くはＣＰＵの管理下で作動するように構成される）等、構成を複雑化させるような機能部を要さず、この種の外部接続電子機器として特に求められる構成の簡素化が図られる。
【００６４】
（本発明の他の実施の形態）
図７および図８は、本発明の他の実施の形態としての移動体通信端末装置およびこれに対応する外部アンテナ装置における各要部である接続検出回路および判定用信号検知・返信部を表す機能ブロック図である。
尚、移動体通信端末装置のこの実施の形態における図７に表された接続検出回路１７０ａ以外の部分については既述のものと略同様の構成であるためそれらの機能ブロック図は省略し、後に図９および図１１を参照して、当該他の実施の形態としての移動体通信端末装置の特徴について詳述する。
【００６５】
また、外部アンテナ装置の他の実施の形態における図８に表された判定用信号検知・返信部２３０ａ以外の部分については既述のものと略同様の構成であるためそれらの機能ブロック図は省略し、後に図１０および図１１を参照して、当該他の実施の形態としての外部アンテナ装置における特徴について詳述する。
接続検出回路１７０ａについて、図７では、既述の図２との対応部には同一の符号を附して示しそれら各部については適宜説明を省略する。
図７に示すように、この接続検出回路１７０ａは、図２の接続検出回路１７０における各部に加え、暗号化部１７６を有する点で特に異なっている。
また、信号送信部１７３ａは、図２の接続検出回路１７０における信号送信部１７０との比較において、判定用信号発生器１７１に替えて判定用原信号発生器１７１ａを有する点において異なる。
【００６６】
即ち、図７の信号送信部１７３ａでは、図２の信号送信部１７３には第一の判定用信号を発生する判定用信号発生器１７１が設けられているのに対し、これに相応する判定用原信号発生器１７１ａが設けられ、この判定用原信号発生器１７１ａから発せられる判定用原信号が暗号化部１７６に供給されて所定の暗号化が施されて、第一の判定用信号が生成されるように構成されている。
【００６７】
また、判定用信号検知・返信部２３０ａについて、図８では、既述の図３との対応部には同一の符号を附して示しそれら各部については適宜説明を省略する。
図８に示すように、この判定用信号検知・返信部２３０ａは、図３の判定用信号検知・返信部２３０の構成に各相応する信号受信部２３１および信号送信部２３３の他に、既述の信号変換部２３２に替えて信号判定部２３４および判定用信号再暗号化部２３５が設けられている。なお、セキュリティ性を高めつつ、回路をさらに簡易化するため、復号化された暗号を再暗号化する処理機能部を持たず、図３の構成をそのまま適用してもよい。
【００６８】
図９は、図７の接続検出回路１７０ａを備えた移動体通信端末装置の動作の概要を表すフローチャートである。
次に、図９を参照して、本発明の他の実施の形態としての電子装置（移動通信端末装置）の動作の概要について説明する。
先ず、周期的に接続検出回路１７０ａ内の信号送信部１７３ａ（その判定用原信号発生器１７１ａ）で判定用原信号を発生する（ステップＳ９０１）。なお、判定用原信号は常時発生させてもよい。
【００６９】
ステップＳ９０２で発生された判定用原信号は、一旦、暗号化部１７６に供給されて、ここで所定の暗号化処理が施され第一の判定用信号が発生される（ステップＳ９０２）。
ステップＳ９０２で発生された第一の判定用信号を外部接続端子１６０を通して外部アンテナ装置２００に送出する（ステップＳ９０３）。
その後、外部アンテナ装置２００側から既述の第二の判定用信号が返され受信されるのを待機し（ステップＳ９０４：Ｎｏ）、第二の判定用信号が受信されると（ステップＳ９０４：Ｙｅｓ）、この第二の判定用信号を復号化し（ステップＳ９０５）、この復号化された第二の判定用信号について、外部アンテナ装置２００の接続が適正か否かを判断する（ステップＳ９０６）。この接続の適正さの判断の詳細については、後に図１１を併せ参照して詳述する。
【００７０】
ステップＳ９０６で外部アンテナ装置の接続は適正であると判断されたときには（ステップＳ９０６：Ｙｅｓ）、アンテナスイッチ１２０（図１）を外部接続電子機器側（外部アンテナ装置側）の系統に接続された第二の端子１２３側への接続となるように切換える（ステップＳ９０７）。
一方、ステップＳ９０６で、外部アンテナ装置の接続は適性でないと判断されたときには（ステップＳ９０６：Ｎｏ）、その外部アンテナ装置の接続は適正でない旨の警告表示を行い（ステップＳ９０８）、アンテナスイッチ１２０を切換えることはせず、この移動通信端末装置１００内に備えられた主アンテナ１１０側の系統に接続された第一の端子１２２への接続を維持する。
尚、ステップＳ９０８の警告表示の処理は行わないようにしてもよい。
【００７１】
図１０は、図９の電子装置（移動通信端末装置）１００の動作に対応する外部接続電子機器（外部アンテナ装置）２００の動作の概要を表すフローチャートである。
次に、図１０を参照して、外部接続電子機器（外部アンテナ装置）２００の動作の概要について説明する。
移動通信端末装置１００からの第一の判定用信号が受信されるまで非作動状態が継続し（ステップＳ１００１：Ｎｏ）、第一の判定用信号が受信されると（ステップＳ１００１：Ｙｅｓ）、判定用信号検知・返信部２３０ａの信号判定部２３４で、この第一の判定用信号に対し所定の復号化を施す（ステップＳ１００２）。
【００７２】
ステップＳ１００２での復号化処理に際して、ステップＳ１００１で受けた第一の判定用信号に係る暗号化は、当該移動通信端末装置１００と外部アンテナ装置２００との組み合わせにおいて正当なものであるか否かが判断され（ステップＳ１００３）、正当なものであると判断されたときには（ステップＳ１００３：Ｙｅｓ）、ステップＳ１００２で復号化された信号を再暗号化して第二の判定用信号を形成する（ステップＳ１００４）。
【００７３】
ステップＳ１００４で形成された第二の判定用信号は、判定用信号検知・返信部２３０の信号送信部２３３から分波合成回路２４０および接続端子２２０を通して、電子装置たる移動通信端末装置１００（その接続検出回路１７０の信号受信部１７４）に伝送される（ステップＳ１００５）。
尚、ステップＳ１００３で、ステップＳ１００１で受けた第一の判定用信号に係る暗号化は、当該移動通信端末装置１００と外部アンテナ装置２００との組み合わせにおいて正当なものではないと判断されたときには（ステップＳ１００３：Ｎｏ）、当該正当なものではない旨を表すＮＧ信号が生成されて電子装置たる移動通信端末装置１００（その接続検出回路１７０の信号受信部１７４）に向け送出される（ステップＳ１００６）。
尚、ステップＳ１００６のＮＧ信号の生成および送出の処理は行わないようにしてもよい。
【００７４】
また、セキュリティ性を高めつつ、回路をさらに簡易化するため、図５のフローチャートの処理をそのまま適用してもよい。
図１１は、他の実施の形態としての電子装置（移動通信端末装置）と外部接続電子機器（外部アンテナ装置）との間で両者の接続が所定の要件を充足する適正なものであるか否かを判定する場合の動作を表すシーケンスチャートである。
次に、図１１および既述の他図を随時参照して、本発明の電子装置（移動通信端末装置）および外部接続電子機器（外部アンテナ装置）の動作について、より詳細に説明する。
【００７５】
移動体通信端末装置の外部接続端子１６０に外部アンテナ装置が（外部アンテナ装置２００側の接続端子２２０で）接続されると、図７を参照して既述の接続検出回路１７０ａの信号送信部１７３ａにおける判定用原信号発生器１７１ａから判定用原信号が発生され、図７の暗号化部１７６に供給される（ステップＳ１１０１）。
ステップＳ１１０１で判定用原信号の供給を受けた暗号化部１７６は、この判定用原信号に所定の暗号化を施して第一の判定用信号を生成する（ステップＳ１１０２）。
【００７６】
ステップＳ１１０２で生成された第一の判定用信号が、図７の第一の判定用信号送信部１７３ａ（その第一の判定用信号送出手段１７２）に移送され（ステップＳ１１０３）、ここから、外部アンテナ装置における判定信号検知・返信部２３０ａの信号受信部２３１（図８）に送出され、この信号受信部２３１で受信される（ステップＳ１１０４）。
【００７７】
ステップＳ１１０１における第一の判定用信号の送出は、図７の接続検出回路１７０ａの信号送信部１７３に設けられた第一の判定用信号送出手段１７２によって、ステップＳ１１０２で暗号化されて生成された第一の判定用信号が分波合成回路１８０（図１）に導かれ、この分波合成回路１８０から信号伝送路を通して外部接続端子１６０に到り、更に外部接続端子１６０から向けて当該第一の判定用信号が送出されるようにして行われる。
【００７８】
外部アンテナ装置における図８の判定信号検知・返信部２３０ａの信号受信部２３１は、ステップＳ１１０４で受信した第一の判定用信号を、判定信号検知・返信部２３０ａ内の信号判定部２３４に移送する（ステップＳ１１０５）。
信号判定部２３４は、ステップＳ１１０５で移送された第一の判定用信号を受け、該信号に対し所定の復号化を施す（ステップＳ１１０６）。
【００７９】
ステップＳ１１０６での復号化処理に際して、ステップＳ１１０４、ステップＳ１１０５で受信した第一の判定用信号に係る暗号化は、当該移動通信端末装置と外部アンテナ装置との組み合わせにおいて正当なものであるか否かが判断され（ステップＳ１１０７）、正当なものであると判断されたときには（ステップＳ１１０７：Ｙｅｓ）、ステップＳ１１０６で復号化された信号は判定用信号再暗号化部２３５に移送される（ステップＳ１１０８）。
【００８０】
ステップＳ１１０８で復号化された信号を受けた判定用信号再暗号化部２３５は、この復号化された信号を再暗号化して第二の判定用信号を形成する（ステップＳ１１０９）。
ステップＳ１１０９で形成された第二の判定用信号は、判定用信号検知・返信部２３０の信号送信部２３３に移送され（ステップＳ１１１０）、ここから分波合成回路２４０および接続端子２２０を通して、電子装置たる移動通信端末装置１００（その接続検出回路１７０の信号受信部１７４）に向け送出される（ステップＳ１１１１）。
【００８１】
ステップＳ１１１１で第二の判定用信号を受けた信号受信部１７４は、この第二の判定用信号を接続検出回路１７０ａ内の信号判定部１７５に移送する（ステップＳ１１１２）。
ステップＳ１１１２で第二の判定用信号を受けた信号判定部１７５は、この第二の判定用判定用が、ステップＳ１１０１で移動体通信端末装置（その信号送信部１７３ａ）から送出された暗号化された第一の判定用信号に対して、外部アンテナ装置２００との接続が所定の要件を充足する正当なものである旨を表す形態での信号変換たる復号化および再暗号化を受けたものであるか否かに基づいて適正さの判定を実行する（ステップＳ１１１３）。
【００８２】
ステップＳ１１１３において外部アンテナ装置との接続が適正であると判定されたときには（ステップＳ１１１３：Ｙｅｓ）、信号判定部１７５は、接続が適正である旨の検出信号Ｄを発して、該検出信号Ｄをアンテナスイッチ１２０（図１）に供給する。
この検出信号Ｄは、上述したアンテナスイッチ１２０の切換えを制御する切換え制御信号でもあり、この検出信号Ｄによって、アンテナスイッチ１２０は、外部アンテナ装置２００の系統を用いる状態に切換えられる。
【００８３】
即ち、アンテナスイッチ１２０では、送受共用器１３０のアンテナポート１３１に接続された共通極端子１２１に対し、常時は主アンテナ１１０側の系統に接続された第一の端子１２２側への接続が選択されていたところ、外部接続電子機器（外部アンテナ装置）２００が接続されて上述のようにその適合性が認識されたときには、外部アンテナ装置側へ接続されるように切換えが行われる（ステップＳ１１１４）。
【００８４】
一方、ステップＳ１１１３で、外部アンテナ装置２００との間での接続は適正でないと判断されたときには（ステップＳ１１１３：Ｎｏ）、上述のようなアンテナスイッチ１２０の切換えは行われず、移動体通信端末装置の表示部等に外部アンテナ装置との接続は適正でない旨の警告表示が行われる（ステップＳ１１１５）。
ステップＳ１１１５の警告表示の処理については、この処理を行わないようにしてもよい。
【００８５】
尚、ステップＳ１１０７で、ステップＳ１１０５で受けた第一の判定用信号に係る暗号化は、当該移動通信端末装置と外部アンテナ装置との組み合わせにおいて正当なものではないと判断されたときには（ステップＳ１１０７：Ｎｏ）、当該正当なものではない旨を表すＮＧ信号が生成されて電子装置たる移動通信端末装置（その接続検出回路１７０の信号受信部１７４）に向け送出される（ステップＳ１１１６）。
【００８６】
ステップＳ１１１６のＮＧ信号の生成および送出の処理については、この処理を行わないようにしてもよい。
このステップＳ１１１６は、図１０を参照して既述のステップＳ１００６と同じ処理であるため、詳細な図示および説明は省略する。なお、セキュリティ性を高めつつ、回路をさらに簡易化するため、図１１のＳ１１０５〜Ｓ１１１０における暗号の復号化から再暗号化に到る処理を省き、図６のＳ６０２〜Ｓ６０４のような簡易な処理に置き換えてもよい。
【００８７】
以上、図７乃至図１１を参照して説明したところから明確に理解されるとおり、この実施の形態では、電子装置（移動体通信端末装置）と外部接続電子機器（外部アンテナ装置）との接続が所定の要件を充足した適正なものであるか否かは、当該外部接続電子機器側に記憶保持されている判定用のデータを読み出して、該読み出したデータに依拠して判定されるのではなく、電子装置（移動体通信端末装置）側から送り込んだ所定の判定用信号（第一の判定用信号）に対して当該外部接続電子機器において如何様な変換が施されるかに依拠して実行される。
【００８８】
従って、外部接続電子機器（外部アンテナ装置）にはその適合性乃至正当性を表すデータは保有されないため、仮にもこのような適合性乃至正当性を表すデータを読み出して解析しようと試みても、本来的にこの種のデータは存在せず、解析され得ないため、不適切な接続による外部接続電子機器の使用を効果的に予防することができる。
【００８９】
図７乃至図１１を参照して説明した実施の形態では、特に、上述したような暗号化の手法が利用されるため、偽造品の出現を抑止したり、違法な外部アンテナの使用を阻止するといったセキュリティの一層の強化が図られる。
また、適合性乃至正当性を表すデータを常時保有するためのメモリや、このメモリに対して書き込みや読み出しを行うための回路（多くはＣＰＵの管理下で作動するように構成される）等、構成を複雑化させるような機能部を要さず、この種の外部接続電子機器として特に求められる構成の簡素化が図られる。
【００９０】
（本発明の更に他の実施の形態）
図１２は、本発明の更に他の実施の形態の構成を表すブロック図である。図１２において、既述の図１との対応部には同一の参照符号を附して示し、それら各部の説明は適宜省略する。
図１２の実施の形態における移動体通信端末装置１００ａでは、図１における移動体通信端末装置１００の分波合成回路１８０に替えて、バイアスティー１８０ａが適用され、図１における第一の判定用信号が例えば低周波信号であったところ、これに替えて、直流信号が適用されている点が異なり、図１の実施の形態に対するこの実施の形態における特徴点となっている。
また、図１２の移動体通信端末装置１００ａにおける上述のような特徴点に対応して、外部アンテナ装置２００ａも、図１の装置における分波合成回路２４０に替えて、バイアスティー１８０ａが適用されている。
【００９１】
図１２の実施の形態では、第一の判定用信号として直流信号が用いられ、この第一の判定用信号が、アンテナ系の（ＲＦ）信号に重畳されて移動体通信端末装置１００ａ側から外部アンテナ装置２００ａ側に送り込まれ、該送り込まれた第一の判定用信号が、外部アンテナ装置２００ａ側において、例えば、直流信号に係る極性の反転や振幅（レベル）の変更といった簡単な信号変換を受けて第二の判定用信号が形成され、該第二の判定用信号が移動体通信端末装置１００ａ側に返送され、該返送された第二の判定用信号に係る信号変換の態様が、先に外部アンテナ装置２００ａ側に送出された第一の判定用信号に対して、当該外部アンテナ装置２００ａの接続に係る適正さを表す所定のものであるか否かに基づいて、当該接続が所定の要件を充足する適正なものであるか否かが判定される。
【００９２】
適正であると判定された場合に、この判定結果を反映した形での検出信号Ｄがアンテナスイッチ１２０に供給される。
図１の実施の形態について既述のように、この検出信号Ｄは、上述したアンテナスイッチ１２０の切換えを制御する切換え制御信号でもあり、この検出信号Ｄによって、アンテナスイッチ１２０は、外部アンテナ装置２００ａの系統を用いる状態に切換えられる。
【００９３】
即ち、送受共用器１３０のアンテナポート１３１に接続された共通極端子１２１に対し、常時は主アンテナ１１０側の系統に接続された第一の端子１２２側への接続が選択されていたところ、外部接続電子機器（外部アンテナ装置）２００ａが接続されて上述のようにその接続が適正であると認識されたときには、外部アンテナ装置側へ接続されるようにアンテナスイッチ１２０における切換えが行われる。
尚、以上において、判定用信号として、低周波信号や直流信号を適用した例について説明したが、判定用信号はこれに限ることを必須のものとする趣旨ではない。即ち、通信における本来の伝送対象たる主情報を担う信号とは周波数を異にし、確実に分離可能な限りの高周波信号を適用することも可能である。
【００９４】
（本発明の電子装置の外観上の構成例）
図１３は、上述した本発明の電子装置の各実施の形態として共通に実施され得る電子装置としての移動体通信端末装置１００（１００ａ）の外観図である。
図１３において、図１および図１２では、概念的に線図として表記された移動体通信端末装置１００（１００ａ）は、例えば、この図１３に表されたように、この限りでは既存のこの種の装置を略同様の外観形状をなし、その筐体１０１には、表示部１０２が設けられている。
【００９５】
また、図１および図１２では、ブロックとして表記された外部接続端子１６０もこの筐体１０１に図示の如く配されている。
表示部１０２には、例えば、既述のような、外部アンテナ装置との接続は適正でない趣旨の警告表示などが文字または象徴的な図形パターン等によって、所要に応じて動的な表示として表示される。
また、外部アンテナ装置との接続が技術的に適正でないといった表示のみならず、電波法に違反するものである趣旨の表示なども行なわれ得る。
更には、適正でない場合のユーザとしての対処方等についてのガイドメッセージが表示されるように構成されても良い。
【００９６】
以上を総じて、当該電子装置に対する外部接続電子機器として外部アンテナ  装置を適用した場合の実施の形態について詳述したが、本発明の技術思想における外部接続電子機器は、既述の外部アンテナ装置に限られるものではない。
即ち、これらの外部接続電子機器として、外部アンテナ装置に替えて、試験用プローブを適用し、当該試験用プローブを用いての試験対象とされる電子装置との接続の適正さの判定を上述同様の構成によって行うことも可能である。
【００９７】
このような場合も、試験対象とされる電子装置に対して当該試験用プローブが接続されるときの、当該接続が所定の要件を充足する適正なものであることが判定されたときに、既述のアンテナスイッチ同様の回路切換え機能部でその試験用プローブが有効に機能するように回路が切換えられるように構成すれば、当該試験における人為的判断ミスを排除でき、且つ、試験における効率が向上することが期待できる。
尚、以上説明した各実施の形態において、第一の判定用信号としては、既述のような低周波の或いは直流の既知の形態の信号が適用され得るが、本発明の技術思想は、このような既知の形態の信号であることを必須とするものではない。
【００９８】
即ち、第一の判定用信号は、本体機器である電子機器側からこれに接続された外部接続電子機器に送り込まれたときに、当該外部接続電子機器内で施される信号変換が如何様であったかが、電子機器側において結果的に識別可能であればよい。
従って、第一の判定用信号としては、例えばホワイトノイズのように不規則に振動するような様相を呈する信号であった場合でも、その信号に対して当該外部接続電子機器内で施される信号変換が如何様であったかが電子機器側において識別可能である限りは（送出時の形態を所要の期間保持する手段を備える等この識別を可能にする構成が実現可能である限りは）、それらの信号を適用することが可能である。
【産業上の利用可能性】
【００９９】
本発明は、電子装置に外部接続電子機器が接続して用いられるようなシステムにおける、両者の接続に関して、当該接続が技術的或いは法的に適正な状態であることが判定されたときに自動的に当該外部接続電子機器を利用する系統へと回路を切換えるための構成を簡素化した電子装置、外部接続電子機器、外部接続電子機器の適合性判定方法、および、判定用信号変換方法を実現するために有効に利用可能である。
【図面の簡単な説明】
【０１００】
【図１】本発明の実施の形態としての電子装置および外部接続電子機器を表すブロック図である。
【図２】図１中の電子装置（移動通信端末装置）における接続検出回路の詳細を表す機能ブロック図である。
【図３】図１中の外部接続電子機器（外部アンテナ装置）における判定用信号検知・返信部の詳細を表す機能ブロック図である。
【図４】図１中の電子装置（移動通信端末装置）の動作の概要を表すフローチャートである。
【図５】図４の電子装置（移動通信端末装置）の動作に対応する外部接続電子機器（外部アンテナ装置）の動作の概要を表すフローチャートである。
【図６】電子装置（移動通信端末装置）と外部接続電子機器（外部アンテナ装置）との間で両者の接続に係る所定の適合性の有無を判定する場合の動作を表すシーケンスチャートである。
【図７】本発明の他の実施の形態としての移動体通信端末装置における要部である接続検出回路を表す機能ブロック図である。
【図８】本発明の他の実施の形態としての外部アンテナ装置における要部である判定用信号検知・返信部を表す機能ブロック図である。
【図９】図７の接続検出回路を備えた移動体通信端末装置の動作の概要を表すフローチャートである。
【図１０】図９の電子装置（移動通信端末装置）の動作に対応する外部接続電子機器（外部アンテナ装置）の動作の概要を表すフローチャートである。
【図１１】他の実施の形態としての電子装置（移動通信端末装置）と外部接続電子機器（外部アンテナ装置）との間で両者の接続が所定の要件を充足する適正なものであるか否かを判定する場合の動作を表すシーケンスチャートである。
【図１２】本発明の更に他の実施の形態の構成を表すブロック図である。
【図１３】本発明の電子装置の各実施の形態として共通に実施され得る電子装置としての移動体通信端末装置の外観図である。
【符号の説明】
【０１０１】
１００，１００ａ…移動通信端末装置（電子装置）
１０１…筐体
１０２…表示部
１１０…主アンテナ
１２０…アンテナスイッチ
１２１…共通極端子
１２２…第一の端子
１２３…第二の端子
１３０…送受共用器
１３１…アンテナポート
１３２…送信ポート
１３３…受信ポート
１４０…送信系回路
１５０…受信系回路
１６０…外部接続端子
１７０，１７０ａ…接続検出回路
１８０…分波合成回路
１８０ａ…バイアスティー
２００，２００ａ…外部アンテナ装置（外部接続電子機器）
２１０…アンテナ素子
２２０…接続端子
２３０，２３０ａ…判定用信号検知・返信部
２４０…分波合成回路
２４０ａ…バイアスティー
【図１】
2009290773.tif 000003
【図２】
2009290773.tif 000004
【図３】
2009290773.tif 000005
【図４】
2009290773.tif 000006
【図５】
2009290773.tif 000007
【図６】
2009290773.tif 000008
【図７】
2009290773.tif 000009
【図８】
2009290773.tif 000010
【図９】
2009290773.tif 000011
【図１０】
2009290773.tif 000012
【図１１】
2009290773.tif 000013
【図１２】
2009290773.tif 000014
【図１３】
2009290773.tif 000015